(57)【特許請求の範囲】
【請求項１】
ユーザにより予め登録される位置条件を記憶する位置条件記憶部と、
移動局装置の位置情報を移動体通信ネットワークから受信する位置情報受信部と、
前記位置条件を満たす頻度が所定の基準よりも高い移動局装置を検出する検出部と、
前記検出部により検出された移動局装置を特定する情報を、前記ユーザに予め指定される受信装置へ送信する移動局情報送信部と、
ユーザにより予め登録され、前記検出部による移動局装置の検出を禁止する条件である第１条件を記憶する第１条件記憶部と、
ユーザにより予め登録され、前記第１条件による移動局装置の検出禁止を解除する条件である第２条件を記憶する第２条件記憶部と、を備え、
前記検出部は、前記第１および第２条件に基づき、前記位置条件を満たす頻度を、所定の出会い頻度判定間隔の周期で判定し、該所定の出会い頻度を、移動局装置の前記位置条件を判定する回数に対する前記位置条件を満たした回数の割合として算定する、監視装置。
【請求項２】
前記移動局装置に対応する仮名を作成する仮名作成部を備え、
移動局情報送信部は、前記移動局装置を特定する情報として前記仮名を送信する請求項１に記載の監視装置。
【請求項３】
前記位置条件は、前記ユーザの移動局装置の位置との距離が所定閾値より短いとき満足される、請求項１又は２に記載の監視装置。
【請求項４】
ユーザにより予め登録される位置条件を所定の記憶部に格納する手順と、
移動局装置の位置情報を移動体通信ネットワークから受信する手順と、
前記位置条件を満たす頻度が所定の基準よりも高い移動局装置を検出する手順と、
検出された前記移動局装置を特定する情報を、前記ユーザに予め指定される受信装置へ送信する手順と、
ユーザにより予め登録され、前記検出の手順において移動局装置の検出を禁止する条件である第１条件を記憶する手順と、
ユーザにより予め登録され、前記検出の手順において前記第１条件による移動局装置の検出禁止を解除する条件である第２条件を記憶する手順と、
前記検出の手順において、前記第１および第２条件に基づき、前記位置条件を満たす頻度を、所定の出会い頻度判定間隔の周期で判定する手順であって、該所定の出会い頻度を、移動局装置の前記位置条件を判定する回数に対する前記位置条件を満たした回数の割合として算定する判定手順と、
をコンピュータが実行する監視方法。
【請求項５】
ユーザにより予め登録される位置条件を所定の記憶部に格納する手順と、
移動局装置の位置情報を移動体通信ネットワークから受信する手順と、
前記位置条件を満たす頻度が所定の基準よりも高い移動局装置を検出する手順と、
検出された前記移動局装置を特定する情報を、前記ユーザに予め指定された受信装置へ送信する手順と、
ユーザにより予め登録され、前記検出の手順において移動局装置の検出を禁止する条件である第１条件を記憶する手順と、
ユーザにより予め登録され、前記検出の手順において前記第１条件による移動局装置の検出禁止を解除する条件である第２条件を記憶する手順と、
前記検出の手順において、前記第１および第２条件に基づき、前記位置条件を満たす頻度を、所定の出会い頻度判定間隔の周期で判定する手順であって、該所定の出会い頻度を、移動局装置の前記位置条件を判定する回数に対する前記位置条件を満たした回数の割合として算定する判定手順と、
をコンピュータに実行させるコンピュータプログラム。
【発明の詳細な説明】
【技術分野】
【０００１】
本明細書で論じられる実施態様は、移動体通信ネットワークにおける移動局装置の監視装置に関する。
【背景技術】
【０００２】
近年、ストーカー被害の被害者が増加している。このため、ストーカー行為を行う者の監視のために移動体通信システムを使用することが提案されている。
【０００３】
被害者が所有する第１携帯電話と、ストーカー犯罪者が所有する第２携帯電話と、第２携帯電話の位置を監視する監視サーバと、から成る監視システムが提案されている。この監視サーバは、第２携帯電話が発信した電波から、第２携帯電話の位置情報である第２位置情報を取得して、予め設定された固定位置を中心とした所定距離内のエリア内に、第２携帯電話が存在するか否かを判定する。第２携帯電話が存在すると判定した場合、第２位置情報を第１携帯電話に送信する。第１携帯電話は、監視サーバから送信された第２位置情報を受信して、第２携帯電話の現在位置を表示する。
【０００４】
また、複数の監視対象者の監視端末と、監視端末の位置情報を管理する情報管理装置とを備える通信制御システムが提案されている。監視端末が、地理的位置情報を取得する位置情報取得部と、相互にグループ化することが許可された監視対象者の監視端末どうしでグループを設定するグループ設定部と、取得した位置情報とグループの設定情報とを、センタへ送信する送信部とを備える。情報管理装置が、位置情報とグループの設定情報を受信する受信部と、監視対象者の属性情報と、監視対象者の監視レベルの判定条件とを記憶した記憶部と、設定されたグループ内の監視端末ごとに受信した位置情報から、監視端末相互間の距離を算出する相互距離確認部と、算出された距離と、監視対象者の属性情報と、判定条件とから、監視対象者の現在の監視レベルを判定する監視レベル判定部とを備える。
【先行技術文献】
【特許文献】
【０００５】
【特許文献１】特開２００９−２８２８８８号公報
【特許文献２】特開２００８−７０９８１号公報
【発明の概要】
【発明が解決しようとする課題】
【０００６】
ストーカー被害を大きくする要因として、被害が大きくなるまで被害者がストーカー行為に気づかず、被害者の防犯対策が不十分となる点が挙げられる。実施態様に係る装置及び方法は、被害者がストーカー行為に気づいていなくても、ストーカー行為の存在を被害者に通知できるサービスを提供することを目的とする。
【課題を解決するための手段】
【０００７】
実施形態による監視装置は、ユーザにより予め登録される位置条件を記憶する位置条件記憶部と、移動局装置の位置情報を移動体通信ネットワークから受信する位置情報受信部と、位置条件を満たす頻度が所定の基準よりも高い移動局装置を検出する検出部と、検出部により検出された移動局装置を特定する情報を、ユーザに予め指定される受信装置へ送信する移動局情報送信部と、を備える。
【発明の効果】
【０００８】
本件開示の装置又は方法によれば、被害者がストーカー行為に気づいていなくても、ストーカー行為の存在を検出し、被害者に通知できる。
【図面の簡単な説明】
【０００９】
【図１】通信システムの構成例を示す図である。
【図２】監視装置のハードウエア構成例を示す図である。
【図３】監視装置の構成例を示す図である。
【図４】第１条件の第１例を示す図である。
【図５】第１条件の第２例を示す図である。
【図６】仮名変換テーブルの一例を示す図である。
【図７】位置情報データの例を示す図である。
【図８】位置情報蓄積データの例を示す図である。
【図９】ユーザに通知される移動局情報の第１例を示す図である。
【図１０】ユーザに通知される移動局情報の第２例を示す図である。
【図１１】監視装置による処理の説明図である。
【図１２】加入者情報取得処理の説明図である。
【図１３】位置情報取得処理の第１例の説明図である。
【図１４】位置情報取得処理の第２例の説明図である。
【図１５】移動局検出処理の説明図である。
【図１６】移動局情報送信処理の説明図である。
【発明を実施するための形態】
【００１０】
以下、添付する図面を参照して本発明の実施例について説明する。図１は、通信システムの構成例を示す図である。通信システム１は、移動体通信ネットワーク２と、通信ネットワーク３と、監視装置４と、端末装置５を備える。通信システム１は、本システムのユーザに対して以下に説明する通知サービスを提供する。この通知サービスは、ユーザが予め指定した位置条件を満たす頻度が高い移動局装置を検出し、検出された移動局装置を特定する情報をユーザに通知するサービスである。
【００１１】
上記の位置条件として、例えば、検出対象の移動局装置が、本通知サービスのユーザが携帯する移動局装置との距離が所定範囲内にあることや、検出対象の移動局装置が、ユーザの生活エリア内に位置することを指定してよい。このような位置条件を指定することで、本通知サービスのユーザは、自分にまとわりつくストーカー行為が行われていることを知ることができる。
【００１２】
移動体通信ネットワーク２は、例えば、移動体通信サービスを提供する移動体通信事業者のネットワークであり、無線アクセスネットワーク１０と、コアネットワーク２０を備える。無線アクセスネットワーク１０は、少なくとも移動局装置１１と基地局装置１２とを備える。移動局装置１１は、例えば、携帯電話、ＰＨＳ（Personal Handy-phone System）、ＰＤＡ（Personal Digital Assistant）、パーソナルコンピュータであってよい。
【００１３】
コアネットワーク２０は、加入者情報記憶装置２１と、測位装置２２と、測位サービス提供装置２３を備える。加入者情報記憶装置２１は、移動体通信ネットワーク２を利用するサービスのサービス加入者に個別の情報である加入者情報を記憶する。例えば加入者情報記憶装置２１は、移動体通信事業者が準備したデータベースサーバであってよい。
【００１４】
測位装置２２は、移動局装置１１の位置を測定する装置である。また、測位サービス提供装置２３は、移動体通信ネットワーク２に対して、移動局装置１１の位置測定と位置情報の提供の要求を受け付け、位置情報を提供する装置である。
【００１５】
測位装置２２の一例として、３ＧＰＰ（3 Generation Partnership Program）に準拠する通信ネットワークにおける移動交換局（ＭＳＣ: Mobile Services Switching Center）が挙げられる。また、測位サービス提供装置２３の一例として、３ＧＰＰに準拠する通信ネットワークにおけるＧＭＬＣ（Gateway Mobile Location Center）が挙げられる。
【００１６】
ＧＭＬＣは、クライアント端末から位置サービス要求を受け付ける。位置サービス要求を受け付けたとき、ＧＭＬＣは、対象の移動局装置をカバーする無線アクセスネットワークを管理するＭＳＣへ測位要求を送信する。測位要求を受信したＭＳＣは、無線ネットワーク制御装置（ＲＮＣ: Radio Network Controller）及び移動局装置と共に移動局装置の位置を測定する。測定結果は、ＧＭＬＣからクライアント端末へ提供される。
【００１７】
また移動局装置がサービス用コネクション確立を要求したとき、ＭＳＣは、ＲＮＣ及び移動局装置と共に移動局装置の位置を測定する。この測定結果である位置情報は、ＭＳＣからＧＭＬＣへ送信される。ＧＭＬＣは、このように受信した位置情報をクライアント端末に提供してもよい。
【００１８】
なお、３ＧＰＰにおけるＧＭＬＣ及びＭＳＣを用いた上記説明は、あくまでも例示であって、移動体通信ネットワーク２は、移動局装置の位置情報を提供するために様々な構成を採用してよい。
【００１９】
移動体通信ネットワーク２、監視装置４及び端末装置５は、通信ネットワーク３に接続される。監視装置４は、通信ネットワーク３を介して、加入者情報記憶装置２１に記憶された加入者情報を移動体通信ネットワーク２から受信可能である。また、監視装置４は、通信ネットワーク３を介して、移動局装置１１の位置情報を移動体通信ネットワーク２から受信可能である。監視装置４は、加入者情報及び位置情報に基づいて、ユーザが予め設定した位置条件を満足する頻度が高い移動局装置１１を検出する。監視装置４は、検出された移動局装置１１に関する移動局情報を、このユーザによって指定された端末装置５へ通信ネットワーク３を介して送信する。
【００２０】
以下、監視装置４の構成について説明する。図２は、監視装置４のハードウエア構成例を示す図である。監視装置３２は、プロセッサ３１と、記憶部３２と、入力インタフェース３３と、グラフィック処理装置３４と、通信インタフェース３５を備える。プロセッサ３１と、記憶部３２と、入力インタフェース３３と、グラフィック処理装置３４と、通信インタフェース３５は、データを伝送するバス３６によって接続される。監視装置４は、例えば、コンピュータ装置やサーバ装置によって実現可能である。
【００２１】
記憶部３２には、監視装置４の動作を制御するための各種コンピュータプログラム及びデータが記憶される。記憶部３２は、メモリ等の記憶装置やハードディスク等の補助記憶装置を含んでいてよい。プロセッサ３１は、公知のデータ処理装置であり、記憶部３２に記憶されるプログラムを実行し、監視装置４の動作を制御するための各処理を実行する。
【００２２】
入力インタフェース３３は、バス３６を介して、入力デバイス３７から入力される信号をプロセッサ３１へ送信する。入力デバイス３７は、例えばキーボードやマウスであってよい。グラフィック処理装置３４には、表示装置３８が接続されている。グラフィック処理装置３４は、プロセッサ３１からの命令に従って、画像や文字情報を表示装置３８の画面上に表示させる。
【００２３】
通信インタフェース３５は、監視装置４と通信ネットワーク３との間の通信インタフェース処理を実行する。なお、図２に示すハードウエア構成は、あくまで監視装置４のハードウエア構成の一例である。以下に説明する処理を実行するものであれば、様々な種類のハードウエア構成が監視装置４のために採用できる。
【００２４】
図３は、監視装置４の構成例を示す図である。図３に示す各構成要素によって実行される処理は、記憶部３２に記憶されるプログラムをプロセッサ３１が実行することにより実現されるものである。なお同図では、この実施例に関係する機能を中心として示している。監視装置４は、加入者情報受信部４１と、位置情報受信部４２と、データ処理部４３と、データベース４４と、設定データ記憶部４５と、移動局情報送信部４６を備える。データ処理部４３は、特許請求の範囲に記載の検出部及び仮名作成部の一例として挙げられる。
【００２５】
加入者情報受信部４１は、図１に示す加入者情報記憶装置２１から、本通知サービスのユーザの加入者情報を受信する。加入者情報受信部４１は、受信した加入者情報を、加入者データ５０として、データベース４４内に格納する。加入者情報記憶装置２１から受信されデータベース４４内に記憶される加入者データ５０は、本通知サービスのユーザの識別子を含んでいてよい。ユーザの識別子は、例えば、移動体通信ネットワーク２にてユーザにより使用される移動局装置の識別子であってよい。移動局装置の識別子は、例えば電話番号であってよい。
【００２６】
加入者データ５０は、例えば、本通知サービスの利用の有無を識別する情報を含んでいてよい。また、加入者データ５０は、ユーザによって指定された端末装置５へ、移動局情報を送信するために使用可能な端末装置５の識別子を含んでいてよい。端末装置５の識別子の識別子は、例えば通信ネットワーク３上における端末装置５のアドレス情報であってよい。
【００２７】
加入者データ５０は、ユーザが任意に指定する位置条件を含んでいてよい。以下、説明のため、ユーザにより指定された移動局装置を移動局装置１１Ａと表記する。移動局装置１１Ａは、例えばユーザが携帯する移動局装置である。一方で移動局装置１１Ａ以外の他の移動局装置を移動局装置１１Ｂと表記する。
【００２８】
位置条件には複数の種別があってよい。位置条件は、位置条件の種別に関する指定を含んでいてよい。例えば、第１の種別の位置条件は、ユーザにより指定された移動局装置１１Ａの位置を基準とするある範囲内に移動局装置１１Ｂが存在するとき満足する条件であってよい。すなわち、ユーザにより指定された移動局装置１１Ａの位置を基準とするある範囲内に移動局装置１１Ｂが存在するとき、移動局装置１１Ｂは第１の種別の位置条件を満足してよい。
【００２９】
また、例えば第２の種別の位置条件は、ユーザにより指定された固定エリア内に移動局装置１１Ｂが存在するとき満足する条件であってよい。すなわち、ユーザにより指定された固定エリア内に移動局装置１１Ｂが存在するとき、移動局装置１１Ｂは第２の種別の位置条件を満足してよい。
【００３０】
位置条件は、加入者データ５０によって指定される位置条件が、第１の種別の位置条件であるか、第２の種別の位置条件であるかを指定する情報を含んでいてよい。加入者データ５０は、複数の位置条件を指定してよい。位置条件には、第１の種別の位置条件と第２の種別の位置条件とが混在して含まれていてもよい。
【００３１】
第１の種別の位置条件は、ユーザにより指定された移動局装置１１Ａの指定と、移動局装置１１Ａの周囲の範囲を画定するための範囲の大きさに関する指定を含んでいてよい。
【００３２】
第２の種別の位置条件は、ユーザにより指定された固定位置の指定と、指定された固定位置の周囲の範囲を画定するための範囲の大きさに関する指定を含んでいてよい。また、第２の種別の位置条件は、ユーザにより指定される固定エリアの境界の指定を含んでいてもよい。
【００３３】
加入者データ５０は、上記の位置条件を満たす移動局装置１１の検出対象とする期間に関する条件を含んでいてよい。
【００３４】
加入者データ５０は、加入者情報記憶装置２１においてユーザにより予め登録された第１条件を含んでよい。第１条件は、監視装置４による移動局装置１１の検出を禁止する条件である。図４は、第１条件の第１例を示す図である。以下の説明において第１条件を、「ホワイトリスト条件」と表記することがある。
【００３５】
ホワイトリスト条件は、例えば、検出の対象から外す移動局装置の指定であってよい。図４に示す例では、電話番号「０９０−１１１−ＡＡＡＡ」、「０９０−２２２２−ＢＢＢＢ」及び「０９０−３３３３−ＣＣＣＣ」をそれぞれ有する移動局装置１１は、監視装置４による検出の対象から除外される。ユーザは、例えば知人や家族の移動局装置の電話番号をホワイトリスト条件として指定することにより、知人や家族がストーカーとして誤って検出されることが防止される。また、ストーカーの可能性の低い人物を候補から外すことによって、ストーカーの候補者を絞り込む際の利便性が向上する。
【００３６】
図５は、ホワイトリスト条件の第２例を示す図である。ホワイトリスト条件は、例えば、監視装置４による移動局装置１１の検出を停止する期間の指定であってよい。図５に示す例では、昼間の時間帯である午前９時から午後１２時、及び午後１時から午後６時の間は、監視装置４による移動局装置１１の検出が停止される。ホワイトリスト条件は、例えば曜日の指定であってもよい。
【００３７】
このように期間をホワイトリスト条件として指定することにより、ストーカー行為をしにくいと考えられる期間に偶発的にユーザの近くに滞在する第三者を、ストーカーの候補から除外することができる。このように偶発的な事象をストーカー行為の候補から除外することより、ストーカーの候補者を絞り込む際の利便性が向上する。
【００３８】
加入者データ５０は、加入者情報記憶装置２１においてユーザにより予め登録された第２条件を含んでよい。第２条件は、上記のホワイトリスト条件による検出禁止を解除する条件である。以下の説明において第２条件を、「ブラックリスト条件」と表記することがある。
【００３９】
ブラックリスト条件は、ホワイトリスト条件が成立するか否かに関わらず検出の対象に含める移動局装置の指定であってよい。例えばストーカー候補者が予め分かっているとき、この候補者の移動局装置をブラックリスト条件として指定してよい。このようにブラックリスト条件を定めることにより、例えばホワイトリスト条件にて指定される期間内であっても、ストーカー候補者によるストーカー行為を監視することができる。このためユーザは、特定のストーカー候補者によるストーカー行為を漏れなく網羅した証拠を取得することができる。
【００４０】
ブラックリスト条件は、ホワイトリスト条件が成立するか否かに関わらず検出を行う期間の指定であってよい。例えばストーカー行為をし易いと考えられる特定の期間や、又はユーザの近くやその行動エリアに長時間滞在することが不自然と考えられる特定の期間をブラックリスト条件として指定してよい。このようにブラックリスト条件を定めることにより、例えばホワイトリスト条件にて指定される移動局装置のユーザが、ストーカー行為と思われる不審な行動を行っていることを気づくことが可能となる。
【００４１】
加入者データ５０は、仮名（かめい）変換テーブルを含んでいてよい。図６は、仮名変換テーブルの一例を示す図である。監視装置４により検出された移動局装置１１に関する情報をユーザに通知する場合、移動局装置１１の識別子や電話番号など、移動局装置１１のユーザを直接特定する情報を通知することは、不慮のプライバシーの侵害を生じる恐れがある。このため、監視装置４は検出された移動局情報１１をユーザに通知する場合、移動局情報１１のそれぞれ対応する仮名をユーザに通知する。
【００４２】
例えば、仮名変換テーブルは、識別子欄と、仮名欄とを備える。識別子欄には、移動局装置１１の識別子、例えば電話番号が格納される。仮名欄にはこの移動局装置１１に対して作成された仮名が格納される。図６の例では、例えば識別子「０９０−１１１１−ＸＸＸＸ」の移動局装置１１には、仮名「α」が割り当てられている。
【００４３】
図３を参照する。位置情報受信部４２は、図１に示す測位サービス提供装置２３から、移動体通信ネットワーク２にて利用される移動局装置１１のそれぞれの位置情報を受信する。位置情報受信部４２が受信した位置情報は、データ処理部４３により加工された後に位置情報データ５１としてデータベース４４内に格納される。
【００４４】
図７は、位置情報データ５１の例を示す図である。位置情報データ５１は、例えば日時欄と、識別子欄と、位置情報欄を含んでいてよい。日時欄には、移動局装置１１の測位を実行した日時が格納される。識別子欄には、測位対象の移動局装置１１の識別子が格納される。
【００４５】
位置情報欄には、測位対象の移動局装置１１の位置情報が格納される。位置情報欄は、基地局識別子欄と、セル識別子欄と、測位結果欄とを含んでいてよい。基地局識別子欄には、測位が行われた移動局装置１１が接続されていた基地局装置１２の識別子が格納される。セル識別子欄には、測位が行われた移動局装置１１が位置されていたセルの識別子が格納される。測位結果は、移動局装置１１の位置の測定結果が格納される。図７の例では、測定結果は北緯及び東経で表されている。
【００４６】
図７の例では、識別子「０９０−１１１１−ＸＸＸＸ」の加入者Ａの移動局装置は、「Ｘ年Ｙ月Ｚ日ＨＨ時Ｍ１分ＳＳ秒」において、基地局１のセル１内に位置していたことが示される。またこのとき加入者Ａの移動局装置の位置は、北緯「３４度ＡＡ分１１１１秒」及び東経「１３５度ＡＡ分１１１１秒」であったことが示される。
【００４７】
図７の例では、識別子「０９０−２２２２−ＹＹＹＹ」の加入者Ｂの移動局装置は、「Ｘ年Ｙ月Ｚ日ＨＨ時Ｍ２分ＳＳ秒」において、基地局１のセル１内に位置していたことが示される。またこのとき加入者Ｂの移動局装置の位置は、北緯「３４度ＢＢ分２２２２秒」及び東経「１３５度ＢＢ分２２２２秒」であったことが示される。
【００４８】
図７の例では、識別子「０９０−３３３３−ＺＺＺＺ」の加入者Ｃの移動局装置は、「Ｘ年Ｙ月Ｚ日ＨＨ時Ｍ３分ＳＳ秒」において、基地局１のセル３内に位置していたことが示される。またこのとき加入者Ｃの移動局装置の位置は、北緯「３４度ＣＣ分３３３３秒」及び東経「１３５度ＣＣ分３３３３秒」であったことが示される。
【００４９】
図３を参照する。データ処理部４３は、位置情報データ５１に新たに位置情報を格納するタイミングで、位置情報データ５１に位置情報が格納されている各移動局装置１１のうち、ユーザにより指定された位置条件の判定対象とする移動局装置１１を選択する。例えばデータ処理部４３は、ユーザにより指定された位置条件を満たす移動局装置１１を漏れなく検出するのに足りる範囲内に位置する移動局装置１１を選択してよい。
【００５０】
第１の種別の位置条件が指定されたとき、データ処理部４３は、例えばユーザの移動局装置１１と同じ地域内に位置する移動局装置１１を選択してよい。第２の種別の位置条件が指定されたとき、データ処理部４３は、例えばユーザにより指定された固定エリアと同じ地域に位置する移動局装置１１を選択してよい。データ処理部４３は、選択された移動局装置１１を、データベース４４に格納された位置情報蓄積データ５２に記憶する。
【００５１】
図８は、位置情報蓄積データ５２の例を示す図である。図８は、第１の種別の位置条件が判定される際に使用される場合の位置情報蓄積データ５２の一例を示している。位置情報蓄積データ５２は、日時欄と、識別子１欄と、識別子２欄と、判定結果欄を含む。
【００５２】
位置情報蓄積データ５２には、位置情報データ５１に新たに位置情報を格納するタイミングで新たに移動局装置１１が記憶される。位置情報蓄積データ５２の日時欄には、位置情報蓄積データ５２に新たにデータを追加する契機となった位置情報の測定日時が格納される。
【００５３】
識別子１欄には、ユーザの移動局装置１１の識別子が格納される。図８に示す例では、本通知サービスのユーザである加入者Ａの移動局装置１１の識別子「０９０−１１１１−ＸＸＸＸ」が識別子欄１に格納される。識別子２欄には、位置条件の判定対象とする移動局装置１１の識別子が格納される。判定結果欄は、位置条件の判定結果を格納するために用意される。
【００５４】
図３を参照する。データ処理部４３は、所定の出会い頻度判定間隔の周期で、位置情報蓄積データ５２に格納された各移動局装置１１が、ユーザにより指定された位置条件を満たすか否かを判定する。データ処理部４３は、位置情報蓄積データ５２のレコード（行）のうち、まだ判定結果欄に位置条件の判定結果が格納されていないものについて、日時欄に格納された時期に識別子２欄に格納された移動局装置１１が位置条件を満たすか否かを判定する。出会い頻度判定間隔は設定データ記憶部４５に記憶されていてよい。
【００５５】
データ処理部４３は、装置１１の位置を、位置情報データ５１から読み出してよい。各移動局装置１１の位置を位置情報データ５１から読み出すとき、データ処理部４３は、判定対象の位置情報蓄積データ５２のレコードの日時欄に格納された時期に直近の時期の位置情報を、位置情報データ５１から読み出してよい。データ処理部４３は、判定結果を位置情報蓄積データ５２の判定結果欄に格納する。
【００５６】
図８に示す例では、位置条件として、識別子１欄の移動局装置１１の位置を基準とする範囲内に識別子２欄の各移動局装置１１が位置するときに満足する条件が使用される場合の判定結果欄の例を示す。位置条件が満たされるときフラグ「近い」が判定結果欄に格納され、位置条件が満たされないときフラグ「遠い」が判定結果欄に格納される。複数の位置条件が指定されるとき、データ処理部４３は、複数の位置条件の論理和の演算結果に応じて位置条件全体が満たされるか否かを判定してよい。
【００５７】
データ処理部４３は、位置条件の判定結果に基づき各移動局装置１１について、出会い頻度を算出する。出会い頻度は、位置条件を満たすと判定された頻度を示す。データ処理部４３は、位置条件の判定回数に対する位置条件を満たした回数の割合を出会い頻度として算出してよい。
【００５８】
データ処理部４３は、所定の閾値以上の出会い頻度を有する各移動局装置１１を検出する。この閾値は、ユーザによって指定されて加入者データ５０に含まれていてよい。データ処理部４３は、検出された移動局装置に対して仮名を作成し、作成された仮名を仮名テーブルに格納する。
【００５９】
データ処理部４３は、位置情報蓄積データ５２の各レコードについて位置条件が満たされるか否か判定するとき、このレコードに格納されるデータがホワイトリスト条件を満足するか否かを判定してよい。例えばデータ処理部４３は、識別子２欄に記憶された識別子が、ホワイトリスト条件として記憶されているか否かを判定してよい。また、例えばデータ処理部４３は、日時欄に記憶された時間が、ホワイトリスト条件として記憶された期間に含まれるか否かを判定してよい。
【００６０】
データ処理部４３は、ホワイトリスト条件が満たされるとき、このレコードを位置条件の判定対象から除いてもよい。これに代えて、データ処理部４３は、ホワイトリスト条件を満たすレコードを、出会い頻度の算出根拠から除いてもよい。
【００６１】
データ処理部４３は、位置情報蓄積データ５２の各レコードについて位置条件が満たされるか否か判定するとき、このレコードに格納されるデータがブラックリスト条件を満足するか否かを判定してよい。データ処理部４３は、ブラックリスト条件を満足するレコードがホワイトリスト条件を満たしていても、このレコードを位置条件の判定対象に加えてよい。データ処理部４３は、ブラックリスト条件を満たすレコードがホワイトリスト条件を満たしていても、このレコードを出会い頻度の算出根拠に加えてよい。
【００６２】
移動局情報送信部４６は、検出された移動局装置１１の仮名と出会い頻度を含んだ移動局情報を、ユーザによって指定された端末装置５へ送信する。移動局情報の形式は、ユーザによって指定されてよい。例えば、位置条件を満足する移動局装置１１の検出対象とする期間が、加入者データ５０において指定されているとき、データ処理部４３は、指定された期間内における出会い頻度を算出する。移動局情報送信部４６は、指定された期間の表示とこの期間内における出会い頻度の順位を含んだ移動局情報を作成する。
【００６３】
図９は、移動局情報の第１例を示す図である。図９に示す移動局情報の例は、「Ｘ月Ｙ日」において測定された出会い頻度の順位を示しており、第１位〜第４位の移動局装置１１の仮名がそれぞれ「β」、「γ」、「δ」及び「ε」であることを示している。「β」、「γ」、「δ」及び「ε」の出会い頻度は、それぞれ「４５％」、「１５％」、「０．２％」及び「０．１％」である。
【００６４】
図１０は、移動局情報の第２例を示す図である。図１０に示す移動局情報の例は、測定対象期間中の時間帯２１：００〜２２：００において測定された出会い頻度の順位を示している。第１位〜第４位の移動局装置１１の仮名は、それぞれ「β」、「γ」、「δ」及び「ε」であり、「β」、「γ」、「δ」及び「ε」の出会い頻度は、それぞれ「６６％」、「３３％」、「３％」及び「１％」である。
【００６５】
以下、監視装置４の処理について説明する。図１１は、監視装置４による処理の説明図である。なお、他の実施態様においては、下記のオペレーションＡＡ〜ＡＤの各オペレーションはステップであってもよい。
【００６６】
オペレーションＡＡにおいて加入者情報受信部４１は、加入者情報取得処理を行う。オペレーションＡＢにおいて位置情報受信部４２は、位置情報取得処理を行う。オペレーションＡＣにおいてデータ処理部４３は、移動局検出処理ＡＣを行う。オペレーションＡＤにおいて移動局情報送信部４６は、移動局情報送信処理ＡＤを行う。各処理ＡＡ〜ＡＤの詳細を以下に説明する。
【００６７】
図１２は、図１１に示す加入者情報取得処理ＡＡの説明図である。なお、他の実施態様においては、下記のオペレーションＢＡ〜ＢＢの各オペレーションはステップであってもよい。オペレーションＢＡにおいて移動体通信ネットワーク２の加入者情報記憶装置２１は、加入者情報を加入者情報受信部４１へ送信する。加入者情報を受信すると、オペレーションＢＢにおいて加入者情報受信部４１は、受信した加入者情報を、加入者データ５０としてデータベース４４内に格納する。
【００６８】
図１３は、図１１に示す位置情報取得処理ＡＢの第１例の説明図である。なお、他の実施態様においては、下記のオペレーションＣＡ〜ＣＧの各オペレーションはステップであってもよい。オペレーションＣＡにおいて、データ処理部４３は、位置情報データ５１の収集周期を定める所定の位置データ収集周期ごとに、位置情報データ５１に格納された各移動局装置１１の位置情報の更新有無を判定する。位置データ収集周期は、設定データ記憶部４５に記憶されていてよい。
【００６９】
オペレーションＣＢにおいて、データ処理部４３は、位置データ収集周期に位置の更新が無かった移動局装置１１の位置情報の取得を、位置情報受信部４２へ要求する。オペレーションＣＣにおいてデータ処理部４３は、移動局装置１１の位置情報の送信を要求する位置情報サービス要求信号を、移動体通信ネットワーク２の測位サービス提供装置２３に送信する。
【００７０】
オペレーションＣＤにおいて測位サービス提供装置２３は、位置情報サービス要求信号に対する応答信号を監視装置４に送信する。応答信号は位置情報受信部４２にて受信される。
【００７１】
オペレーションＣＥにおいて位置情報受信部４２は、応答信号に含まれている移動局装置１１の位置情報をデータ処理部４３へ送信する。オペレーションＣＦにおいてデータ処理部４３は、位置情報を位置情報データ５１としてデータベース４４内に格納する。オペレーションＣＧにおいてデータ処理部４３は、位置条件の判定対象とする移動局装置１１を選択し、選択された移動局装置１１に関するレコードを位置情報蓄積データ５２に追加する。
【００７２】
図１４は、図１１に示す位置情報取得処理ＡＢの第２例の説明図である。なお、他の実施態様においては、下記のオペレーションＤＡ〜ＤＤの各オペレーションはステップであってもよい。オペレーションＤＡにおいて測位サービス提供装置２３は、位置情報を監視装置４に送信する。例えば、移動局装置１１からのサービス用コネクション確立の要求を契機として移動局装置１１の測位が行われたとき、測位サービス提供装置２３は、このときの測位結果を示す位置情報を監視装置４に送信してよい。
【００７３】
オペレーションＤＢにおいて位置情報受信部４２は、受信した移動局装置１１の位置情報をデータ処理部４３へ送信する。オペレーションＤＣにおいてデータ処理部４３は、位置情報を位置情報データ５１としてデータベース４４内に格納する。オペレーションＤＤにおいてデータ処理部４３は、位置条件の判定対象とする移動局装置１１を選択し、選択された移動局装置１１に関するレコードを位置情報蓄積データ５２に追加する。
【００７４】
図１５は、図１１に示す移動局検出処理ＡＣの説明図である。なお、他の実施態様においては、下記のオペレーションＥＡ〜ＥＢの各オペレーションはステップであってもよい。オペレーションＥＡにおいてデータ処理部４３は、位置情報蓄積データ５２に記憶されている移動局装置１１について出会い頻度を算出する。オペレーションＥＢにおいてデータ処理部４３は、所定の閾値以上の出会い頻度を有する各移動局装置１１を検出し、検出された移動局装置に対して仮名を作成し、作成された仮名を仮名テーブルに格納する。
【００７５】
図１６は、図１１に示す移動局情報送信処理ＡＤの説明図である。なお、他の実施態様においては、下記のオペレーションＦＡ〜ＦＣの各オペレーションはステップであってもよい。オペレーションＦＡにおいてデータ処理部４３は、移動局装置１１の仮名と出会い頻度を含んだ移動局情報を端末装置５へ送信するように、移動局情報送信部４６へ要求する。オペレーションＦＢにおいて移動局情報送信部４６は、ユーザによって指定された形式の移動局情報を作成する。オペレーションＦＢにおいて移動局情報送信部４６は、移動局情報を端末装置５へ送信する。
【００７６】
本実施例によれば、本通知サービスのユーザは、監視装置４から受信した移動局情報を参照することにより、ユーザが指定した位置条件を満たす頻度が高い移動端末の存在を認識することが可能となる。例えば、ユーザの移動局装置１１から所定の距離内に位置することを位置条件として指定し、及び／又はユーザの自宅付近の所定の範囲内に位置することを位置条件として指定することにより、ユーザはストーカー行為の可能性を認識することができる。またユーザは、通知サービスの提供者に対してストーカーの疑いがある加入者の資料の提出を警察に要求することで、ストーカーの疑いがある容疑者を特定することができる。
【００７７】
また本実施例によれば、ユーザは、監視装置４から受信した移動局情報を、ストーカー行為の証拠として用いることができる。このように、本実施例のシステムはストーカー犯罪捜査を補助することが可能である。また本実施例によれば、ユーザに対しては仮名データを送信することで、不慮のプライバシー侵害を防止することができる。
【００７８】
以上の実施例を含む実施形態に関し、更に以下の付記を開示する。
【００７９】
（付記１）
ユーザにより予め登録される位置条件を記憶する位置条件記憶部と、
移動局装置の位置情報を移動体通信ネットワークから受信する位置情報受信部と、
前記位置条件を満たす頻度が所定の基準よりも高い移動局装置を検出する検出部と、
前記検出部により検出された移動局装置を特定する情報を、前記ユーザに予め指定される受信装置へ送信する移動局情報送信部と、
を備える監視装置。
【００８０】
（付記２）
ユーザにより予め登録される第１条件を記憶する第１条件記憶部を備え、
前記第１条件は、前記検出部による移動局装置の検出を禁止する条件である付記１に記載の監視装置。
【００８１】
（付記３）
ユーザにより予め登録される第２条件を記憶する第２条件記憶部を備え、
前記第２条件は、前記第１条件による移動局装置の検出禁止を解除する条件である付記２に記載の監視装置。
【００８２】
（付記４）
前記移動局装置に対応する仮名を作成する仮名作成部を備え、
移動局情報送信部は、前記移動局装置を特定する情報として前記仮名を送信する付記１〜３のいずれか一項に記載の監視装置。
【００８３】
（付記５）
前記位置条件は、前記ユーザの移動局装置の位置との距離が所定閾値より短いとき満足される、付記１〜４のいずれか一項に記載の監視装置。
【００８４】
（付記６）
前記位置条件は、所定の固定エリア内に位置するとき満足される、付記１〜４のいずれか一項に記載の監視装置。
【００８５】
（付記７）
ユーザにより予め登録される位置条件を所定の記憶部に格納する手順と、
移動局装置の位置情報を移動体通信ネットワークから受信する手順と、
前記位置条件を満たす頻度が所定の基準よりも高い移動局装置を検出する手順と、
検出された前記移動局装置を特定する情報を、前記ユーザに予め指定される受信装置へ送信する手順と、
をコンピュータが実行する監視方法。
【００８６】
（付記８）
ユーザにより予め登録される位置条件を所定の記憶部に格納する手順と、
移動局装置の位置情報を移動体通信ネットワークから受信する手順と、
前記位置条件を満たす頻度が所定の基準よりも高い移動局装置を検出する手順と、
検出された前記移動局装置を特定する情報を、前記ユーザに予め指定される受信装置へ送信する手順と、
をコンピュータに実行させるコンピュータプログラム。
【符号の説明】
【００８７】
１    通信システム
２    移動体通信ネットワーク
４    監視装置
５    端末装置
４１    加入者情報受信部
４２    位置情報受信部
４３    データ処理部
４６    移動局情報送信部
【図１】
0005488102.tif 000002
【図２】
0005488102.tif 000003
【図３】
0005488102.tif 000004
【図４】
0005488102.tif 000005
【図５】
0005488102.tif 000006
【図６】
0005488102.tif 000007
【図７】
0005488102.tif 000008
【図８】
0005488102.tif 000009
【図９】
0005488102.tif 000010
【図１０】
0005488102.tif 000011
【図１１】
0005488102.tif 000012
【図１２】
0005488102.tif 000013
【図１３】
0005488102.tif 000014
【図１４】
0005488102.tif 000015
【図１５】
0005488102.tif 000016
【図１６】
0005488102.tif 000017